【手続補正書】
【提出日】平成29年7月13日(2017.7.13)
【手続補正１】
【補正対象書類名】明細書
【補正対象項目名】発明の名称
【補正方法】変更
【補正の内容】
【発明の名称】画像処理装及びその制御方法、並びにプログラム
【手続補正２】
【補正対象書類名】明細書
【補正対象項目名】０００１
【補正方法】変更
【補正の内容】
【０００１】
本発明は、画像処理装及びその制御方法、並びにプログラムに関する。
【手続補正３】
【補正対象書類名】明細書
【補正対象項目名】０００８
【補正方法】変更
【補正の内容】
【０００８】
上記目的を達成するために、本発明の画像処理装置は、画像処理装置であって、ネットワーク上の外部装置と通信する第１の通信手段と、印刷装置と通信する第２の通信手段と、前記画像処理装置が省電力状態であり、かつ、前記第１の通信手段が受信したデータが第１の種別のデータである場合、前記省電力状態を維持したまま前記受信したデータに応答する応答手段と、前記画像処理装置が省電力状態であり、かつ、前記第１の通信手段が受信したデータが第２の種別のデータである場合、前記画像処理装置を前記省電力状態から復帰させる復帰手段とを備え、前記第１の通信手段が受信したデータが前記第２の種別のデータである場合、前記省電力状態から復帰した前記画像処理装置は、前記受信したデータを前記第２の通信手段を介して前記印刷装置に送信することを特徴とする。また、上記目的を達成するために、本発明の画像処理装置は、画像処理装置であって、ネットワーク上の外部装置と通信する第１の通信手段と、印刷装置と通信する第２の通信手段と、前記画像処理装置が省電力状態であり、かつ、前記第１の通信手段が受信したデータが第１の種別のデータである場合、前記省電力状態を維持したまま前記受信したデータに応答する応答手段と、前記画像処理装置が省電力状態であり、かつ、前記第１の通信手段が受信したデータが第２の種別のデータである場合、又は、前記画像処理装置が省電力状態であり、かつ、前記第１の通信手段が受信したデータが第３の種別のデータである場合、前記画像処理装置を前記省電力状態から復帰させる復帰手段とを備え、前記第１の通信手段が受信したデータが前記第２の種別のデータである場合、前記省電力状態から復帰した前記画像処理装置は、前記画像処理装置と前記印刷装置との間の通信速度を高速に変更した上で、前記受信したデータを前記第２の通信手段を介して前記印刷装置に送信し、前記第１の通信手段が受信したデータが前記第３の種別のデータである場合、前記省電力状態から復帰した前記画像処理装置は、前記画像処理装置と前記印刷装置との間の通信速度を変更することなく、前記受信したデータを前記第２の通信手段を介して前記印刷装置に送信することを特徴とする。
【手続補正４】
【補正対象書類名】特許請求の範囲
【補正対象項目名】全文
【補正方法】変更
【補正の内容】
【特許請求の範囲】
【請求項１】
画像処理装置であって、
ネットワーク上の外部装置と通信する第１の通信手段と、
印刷装置と通信する第２の通信手段と、
前記画像処理装置が省電力状態であり、かつ、前記第１の通信手段が受信したデータが第１の種別のデータである場合、前記省電力状態を維持したまま前記受信したデータに応答する応答手段と、
前記画像処理装置が省電力状態であり、かつ、前記第１の通信手段が受信したデータが第２の種別のデータである場合、前記画像処理装置を前記省電力状態から復帰させる復帰手段とを備え、
前記第１の通信手段が受信したデータが前記第２の種別のデータである場合、前記省電力状態から復帰した前記画像処理装置は、前記受信したデータを前記第２の通信手段を介して前記印刷装置に送信することを特徴とする画像処理装置。
【請求項２】
前記画像処理装置が省電力状態であり、かつ、前記第１の通信手段が受信したデータが第３の種別のデータである場合、前記復帰手段は、前記画像処理装置を前記省電力状態から復帰させ、
前記第１の通信手段が受信したデータが前記第３の種別のデータである場合、前記省電力状態から復帰した前記画像処理装置は、前記受信したデータを処理することを特徴とする請求項１記載の画像処理装置。
【請求項３】
前記第１の通信手段が受信したデータが前記第３の種別のデータである場合、前記受信したデータの処理が終了したことに応じて、前記画像処理装置は、前記省電力状態に遷移することを特徴とする請求項２記載の画像処理装置。
【請求項４】
画像処理装置であって、
ネットワーク上の外部装置と通信する第１の通信手段と、
印刷装置と通信する第２の通信手段と、
前記画像処理装置が省電力状態であり、かつ、前記第１の通信手段が受信したデータが第１の種別のデータである場合、前記省電力状態を維持したまま前記受信したデータに応答する応答手段と、
前記画像処理装置が省電力状態であり、かつ、前記第１の通信手段が受信したデータが第２の種別のデータである場合、又は、前記画像処理装置が省電力状態であり、かつ、前記第１の通信手段が受信したデータが第３の種別のデータである場合、前記画像処理装置を前記省電力状態から復帰させる復帰手段とを備え、
前記第１の通信手段が受信したデータが前記第２の種別のデータである場合、前記省電力状態から復帰した前記画像処理装置は、前記画像処理装置と前記印刷装置との間の通信速度を高速に変更した上で、前記受信したデータを前記第２の通信手段を介して前記印刷装置に送信し、
前記第１の通信手段が受信したデータが前記第３の種別のデータである場合、前記省電力状態から復帰した前記画像処理装置は、前記画像処理装置と前記印刷装置との間の通信速度を変更することなく、前記受信したデータを前記第２の通信手段を介して前記印刷装置に送信することを特徴とする画像処理装置。
【請求項５】
前記画像処理装置が省電力状態であり、かつ、前記第１の通信手段が受信したデータが第４の種別のデータである場合、前記復帰手段は、前記画像処理装置を前記省電力状態から復帰させ、
前記第１の通信手段が受信したデータが前記第４の種別のデータである場合、前記省電力状態から復帰した前記画像処理装置は、前記受信したデータを処理することを特徴とする請求項４記載の画像処理装置。
【請求項６】
前記第１の通信手段が受信したデータが前記第４の種別のデータである場合、前記受信したデータの処理が終了したことに応じて、前記画像処理装置は、前記省電力状態に遷移することを特徴とする請求項５記載の画像処理装置。
【請求項７】
画像処理装置の制御方法であって、
ネットワーク上の外部装置と通信する第１の通信ステップと、
印刷装置と通信する第２の通信ステップと、
前記画像処理装置が省電力状態であり、かつ、前記第１の通信ステップにおいて受信したデータが第１の種別のデータである場合、前記省電力状態を維持したまま前記受信したデータに応答する応答ステップと、
前記画像処理装置が省電力状態であり、かつ、前記第１の通信ステップにおいて受信したデータが第２の種別のデータである場合、前記画像処理装置を前記省電力状態から復帰させる復帰ステップとを有し、
前記第１の通信ステップにおいて受信したデータが前記第２の種別のデータである場合、前記省電力状態から復帰した前記画像処理装置は、前記受信したデータを前記第２の通信ステップにおいて前記印刷装置に送信することを特徴とする画像処理装置の制御方法。
【請求項８】
画像処理装置の制御方法であって、
ネットワーク上の外部装置と通信する第１の通信ステップと、
印刷装置と通信する第２の通信ステップと、
前記画像処理装置が省電力状態であり、かつ、前記第１の通信ステップにおいて受信したデータが第１の種別のデータである場合、前記省電力状態を維持したまま前記受信したデータに応答する応答ステップと、
前記画像処理装置が省電力状態であり、かつ、前記第１の通信ステップにおいて受信したデータが第２の種別のデータである場合、又は、前記画像処理装置が省電力状態であり、かつ、前記第１の通信ステップにおいて受信したデータが第３の種別のデータである場合、前記画像処理装置を前記省電力状態から復帰させる復帰ステップとを有し、
前記第１の通信ステップにおいて受信したデータが前記第２の種別のデータである場合、前記省電力状態から復帰した前記画像処理装置は、前記画像処理装置と前記印刷装置との間の通信速度を高速に変更した上で、前記受信したデータを前記第２の通信ステップにおいて前記印刷装置に送信し、
前記第１の通信ステップにおいて受信したデータが前記第３の種別のデータである場合、前記省電力状態から復帰した前記画像処理装置は、前記画像処理装置と前記印刷装置との間の通信速度を変更することなく、前記受信したデータを前記第２の通信ステップにおいて前記印刷装置に送信することを特徴とする画像処理装置の制御方法。
【請求項９】
画像処理装置の制御方法をコンピュータに実行させるプログラムであって、
前記画像処理装置の制御方法は、
ネットワーク上の外部装置と通信する第１の通信ステップと、
印刷装置と通信する第２の通信ステップと、
前記画像処理装置が省電力状態であり、かつ、前記第１の通信ステップにおいて受信したデータが第１の種別のデータである場合、前記省電力状態を維持したまま前記受信したデータに応答する応答ステップと、
前記画像処理装置が省電力状態であり、かつ、前記第１の通信ステップにおいて受信したデータが第２の種別のデータである場合、前記画像処理装置を前記省電力状態から復帰させる復帰ステップとを有し、
前記第１の通信ステップにおいて受信したデータが前記第２の種別のデータである場合、前記省電力状態から復帰した前記画像処理装置は、前記受信したデータを前記第２の通信ステップにおいて前記印刷装置に送信することを特徴とするプログラム。
【請求項１０】
画像処理装置の制御方法をコンピュータに実行させるプログラムであって、
前記画像処理装置の制御方法は、
ネットワーク上の外部装置と通信する第１の通信ステップと、
印刷装置と通信する第２の通信ステップと、
前記画像処理装置が省電力状態であり、かつ、前記第１の通信ステップにおいて受信したデータが第１の種別のデータである場合、前記省電力状態を維持したまま前記受信したデータに応答する応答ステップと、
前記画像処理装置が省電力状態であり、かつ、前記第１の通信ステップにおいて受信したデータが第２の種別のデータである場合、又は、前記画像処理装置が省電力状態であり、かつ、前記第１の通信ステップにおいて受信したデータが第３の種別のデータである場合、前記画像処理装置を前記省電力状態から復帰させる復帰ステップとを有し、
前記第１の通信ステップにおいて受信したデータが前記第２の種別のデータである場合、前記省電力状態から復帰した前記画像処理装置は、前記画像処理装置と前記印刷装置との間の通信速度を高速に変更した上で、前記受信したデータを前記第２の通信ステップにおいて前記印刷装置に送信し、
前記第１の通信ステップにおいて受信したデータが前記第３の種別のデータである場合、前記省電力状態から復帰した前記画像処理装置は、前記画像処理装置と前記印刷装置との間の通信速度を変更することなく、前記受信したデータを前記第２の通信ステップにおいて前記印刷装置に送信することを特徴とするプログラム。